(57)【要約】【課題】移植に並行して施肥が可能な移植機を提供する。【解決手段】連続鉢苗移植機１に施肥装置９を設けたので、移植と同時に施肥を行う側条施肥栽培に対応した連続鉢苗移植機１を提供することができる。【選択図】図１
2011234684.tif 000002
【特許請求の範囲】
【請求項１】
移植機進行方向後側の下面を接地面とした枠体上に、移植機進行方向前側から順次、連続鉢苗を載置する鉢苗載置部と、該鉢苗載置部から引き出された前記連続鉢苗を１列に整列させて案内する鉢苗案内部と、該鉢苗案内部から植付け面へ前記連続鉢苗を繰り出す鉢苗繰出部と、が設けられ、さらに、前記枠体の接地面に、圃場に植付け溝を形成する植付け溝切部が設けられる移植機であって、
肥料が収容されるホッパと、該ホッパの下部に設けられて繰出軸が回転駆動されることで前記ホッパに収容された肥料が繰り出される肥料繰出部と、圃場に施肥溝を形成する施肥溝切部と、前記肥料繰出部によって繰出された肥料を前記施肥溝切部へ案内する肥料案内部と、を含む施肥装置が前記枠体に設けられることを特徴とする移植機。
【請求項２】
前記施肥装置は、前記施肥溝切部が前記枠体に枠体幅方向へ移動可能に設けられ、前記肥料案内部を通過した肥料を前記施肥溝切部へ投入させるシュータを有することを特徴とする請求項１に記載の移植機。
【請求項３】
前記施肥装置は、前記枠体の移植機進行方向前側に設けられて移植機の進行に伴い転動される駆動輪と、該駆動輪の回転力を前記繰出軸へ伝達する伝達部と、を含むことを特徴とする請求項１または２に記載の移植機。
【請求項４】
前記枠体の移植機進行方向前側に、枠体幅方向へ移動可能な一対の補助輪を設けたことを特徴とする請求項１〜３のいずれかに記載の移植機。
【請求項５】
前記枠体上に、前記鉢苗載置部、前記鉢苗案内部および前記鉢苗繰出部によって構成される組が少なくとも２組設けられ、前記施肥装置には、少なくとも前記肥料案内部と前記施肥溝切部とが、前記各組に対応して設けられることを特徴とする請求項１〜４のいずれかに記載の移植機。
【請求項６】
前記各組の前記鉢苗案内部および前記鉢苗繰出部は、前記枠体に枠体幅方向へ移動可能に設けられることを特徴とする請求項１〜５のいずれかに記載の移植機。
【請求項７】
前記駆動輪にラグが設けられることを特徴とする請求項１〜６のいずれかに記載の移植機。
【請求項８】
トラクタに連結させる連結部材を有することを特徴とする請求項１〜７のいずれかに記載の移植機。
【請求項９】
トラクタのヒッチが接続される連結部を有することを特徴とする請求項１〜７のいずれかに記載の移植機。
【発明の詳細な説明】
【技術分野】
【０００１】
本発明は、移植機の改良に関する。
【背景技術】
【０００２】
従来、進行方向後側の下面を接地面とした枠体上に、その進行方向前側から順次、連続鉢苗を載置する鉢苗載置部と、該鉢苗載置部から引き出された連続鉢苗を１列に整列させて案内する鉢苗案内部と、該鉢苗案内部から植付け面に連続鉢苗を繰り出す鉢苗繰出部と、を備え、さらに、圃場に植付け溝を形成する植付け溝切部が枠体の接地面に設けられると共に該枠体の進行方向前端部にハンドルを備えた連続鉢苗移植機が知られている（例えば、特許文献１参照）。上記連続鉢苗移植機では、作業者がハンドルを牽くと、植付け溝切部が圃場の植付け面に１条の植付け溝を形成し、該植付け溝に、鉢苗載置部から引き出された連続鉢苗が鉢苗案内部により１列に整列されて鉢苗繰出部から繰り出されるので、作物（苗）を一つずつ取り出す機構を設ける必要がない。また、個別鉢苗の植付け間隔が個別鉢苗間を連結する連結片の長さにより決まるので、植付け間隔を調節する機構を省くことができる。
【０００３】
上記連続鉢苗移植機では、全体の機構が簡素化されることから、従来の移植機と比較して大幅な軽量化が可能である。その結果、トラクタ等の原動機を利用することなく、人力（作業者の牽引）によって移植機を移動させることが可能になる。また、設備投資が安価で済むことから、比較的規模が小さい農家であっても導入が可能であり、さらに、操作が簡単であることから、比較的体力がない婦女子や高齢者であっても容易に扱うことが可能である。
【０００４】
ところで、側条施肥栽培は、移植と同時に施肥を行うことで、省力化および作業効率化を計ることができる。そこで、従来、移植に並行して施肥が可能な連続鉢苗移植機が要望されていたが、そのような連続鉢苗移植機は従来皆無であった。例えば、特許文献２には、移植に並行して施肥を行う苗植機が開示されているが、この苗植機は、苗植装置を走行車体（トラクタ）で牽引するものであることから、小規模農家に適合しない。そこで、この苗植機の施肥装置を上記連続鉢苗移植機に採用すると、特許文献２の〔図１〕等からも理解できるように、肥料を収容して比較的重量があるホッパ（肥料タンク）を、装置の上部に設置する必要があるため（特許文献２では、走行車体の座席後方に設置されている）、牽引時における連続鉢苗移植機の安定性が低下して、苗の植付け姿勢がばらつくのに加え、作業者の負担が増大する。
【先行技術文献】
【特許文献】
【０００５】
【特許文献１】特開平０８−８９０２８号公報
【特許文献２】特開平０５−０３７０８号公報
【発明の概要】
【発明が解決しようとする課題】
【０００６】
そこで本発明は、上記事情に鑑みてなされたもので、移植に並行して施肥が可能な移植機を提供することを課題としてなされたものである。
【課題を解決するための手段】
【０００７】
上記課題を解決するために、本発明の移植機は、移植機進行方向後側の下面を接地面とした枠体上に、移植機進行方向前側から順次、連続鉢苗を載置する鉢苗載置部と、該鉢苗載置部から引き出された前記連続鉢苗を１列に整列させて案内する鉢苗案内部と、該鉢苗案内部から植付け面へ前記連続鉢苗を繰り出す鉢苗繰出部と、が設けられ、さらに、前記枠体の接地面に、圃場に植付け溝を形成する植付け溝切部が設けられる移植機であって、肥料が収容されるホッパと、該ホッパの下部に設けられて繰出軸が回転駆動されることで前記ホッパに収容された肥料が繰り出される肥料繰出部と、圃場に施肥溝を形成する施肥溝切部と、前記肥料繰出部によって繰出された肥料を前記施肥溝切部へ案内する肥料案内部と、を含む施肥装置が前記枠体に設けられることを特徴とする。
【発明の効果】
【０００８】
本発明によれば、移植に並行して施肥が可能な移植機を提供することができる。
【図面の簡単な説明】
【０００９】
【図１】本実施形態の連続鉢苗移植機の側面図である。
【図２】本実施形態の連続鉢苗移植機の平面図である。
【図３】本実施形態の連続鉢苗移植機の正面図である。
【図４】本実施形態の連続鉢苗移植機の平面図であり、特に、条間を最大に設定した状態を示す。
【図５】図４に対応する連続鉢苗移植機の正面図である。
【図６】本実施形態の連続鉢苗移植機の施肥溝切部の側面図およびそのＢ−Ｂ断面図である。
【図７】移植作業時における本実施形態の連続鉢苗移植機を示す側面図である。
【図８】図７の連続鉢苗移植機の平面図である。
【図９】本実施形態の施肥装置の説明図であって、（ａ）は条間を拡げた状態を示し、（ｂ）は条間を狭めた状態を示す。
【図１０】他の実施形態の施肥装置の説明図であって、（ａ）は条間を拡げた状態を示し、（ｂ）は条間を狭めた状態を示す。
【図１１】他の実施形態、特に、図１０の施肥装置を採用するとともに駆動輪にラグが設けられる連続鉢苗移植機の側面図である。
【図１２】図１１の連続鉢苗移植機の正面図である。
【図１３】他の実施形態、特に、ハンドルを延長して二人の作業者で牽引するように構成した連続鉢苗移植機の平面図である。
【図１４】他の実施形態、特に、高畦を跨ぐように構成した連続鉢苗移植機の側面図である。
【図１５】図１４の連続鉢苗移植機の正面図である。
【図１６】他の実施形態、特に、連結部材を介して歩行型トラクタに連結された連続鉢苗移植機の側面図である。
【図１７】他の実施形態、特に、乗用型トラクタに連結された連続鉢苗移植機の平面図である。
【発明を実施するための形態】
【００１０】
本発明の一実施形態を添付した図を参照して説明する。なお、説明の便宜上、当該連続鉢苗移植機１の進行方向（図１、図２における右方向、以下、単に進行方向という）を前方と規定し、その反対方向（図１、図２における左方向）を後方と規定する。
【００１１】
本実施形態の連続鉢苗移植機１（移植機）は、各個別鉢苗２ａに苗３を収容した連続鉢苗２（図７、図８参照）が鉢苗載置部４にセットされ、圃場５上の連続鉢苗移植機１のハンドル６を牽いて当該連続鉢苗移植機１を前進させることにより、鉢苗載置部４から連続鉢苗２が引き出されるとともに植付け溝切部７により植付け面に植付け溝（図示省略）が形成される。さらに、鉢苗載置部４から引き出された連続鉢苗２は、鉢苗案内部８により後方へ案内されつつ、鉢苗繰出部１２から上記植付け溝へ繰り出される。そして、本実施形態の連続鉢苗移植機１は、苗３の移植に並行して、植付け溝へ繰り出された連続鉢苗２、すなわち、圃場５へ移植された連続鉢苗２の側方に施肥する施肥装置９を備えており、側条施肥栽培に対応する。
【００１２】
連続鉢苗移植機１は、後側（図１、図２における左側）の下面を接地面とする枠体１０（フレーム）を有する。枠体１０上には、進行方向前から順に、鉢苗載置部４と、該鉢苗載置部４に載置された鉢苗台（又は苗箱）１１（図８参照）から引き出された連続鉢苗２を整列させて、整列させた連続鉢苗２を後方へ向けて案内する鉢苗案内部８と、該鉢苗案内部８により案内された連続鉢苗２を連続に繰り出す鉢苗繰出部１２と、が設けられる。鉢苗案内部８は、連続鉢苗２の滑動面を提供する底板１３と、該底板１３上に枠体１０幅方向（図２における上下方向）に一対で設けられた案内板１４と、を有する。鉢苗繰出部１２は、繰出枠１５の底面を切欠いて形成した切欠部１６を有する。繰出枠１５には、一対の誘導板１７が設けられており、該一対の誘導板１７は、左右対称（図２において上下対称）に形成されて切欠部１６の前端を挟むようにして枠体１０幅方向両側に対向して配置される。なお、一対の誘導板１７間の間隔は、通過させる連続鉢苗の幅に合わせて適宜設定することができる。
【００１３】
枠体１０の接地面には、圃場５に植付け溝を形成する前述した植付け溝切部７が設けられる。該植付け溝切部７は、先端部が鋭角に閉じると共に後端部が開放された箱形に形成されており、後端部側が鉢苗繰出部１２の後端部近傍まで延ばされている。また、植付け溝切部７は、左右の対向する壁の間隔が切欠部１６の幅よりやや狭く形成されており、鉢苗繰出部１２から繰り出された連続鉢苗２は、この植付け溝切部７の側壁にも案内されて植付け溝へ繰り出される。さらに、枠体１０の後端部には、植付け溝に繰り出された連続鉢苗２に周辺の土を掻き寄せる一対の土寄せ板１８と、該土寄せ板１８で掻き寄せられた土を鎮圧する一対の鎮圧ローラ１９と、が設けられる。なお、本実施形態の連続鉢苗移植機１は、枠体１０上に、鉢苗載置部４、鉢苗案内部８および鉢苗繰出部１２によって構成される組が、枠体１０幅方向（図２における上下方向）に２組並置されており、各鉢苗台１１上の各連続鉢苗２を２条同時に移植することができるように構成されている。
【００１４】
図１、図３に示されるように、連続鉢苗移植機１は、枠体１０の前端部に伸縮可能な（ハンドル６の高さ調節を可能とする）ハンドルフレーム２０を備える。該ハンドルフレーム２０の下端部には、枠体１０幅方向（図３における左右方向）に延びる駆動軸２２が設けられる。該駆動軸２２は、ハンドルフレーム２０の下端部に設けられた軸受（図示省略）によって軸回りに回転可能に支持されている。該駆動軸２２の両端部（図３における左右方向端部）には、連続鉢苗移植機１の進行方向へ転動可能な一対の駆動輪２１が固定される。各駆動輪２１には、それぞれブレード２３が固定される。各ブレード２３は、外周に沿って複数個の歯部２３ａが設けられており、各駆動輪２１が圃場５に接地した時に、下側の歯部２３ａが圃場５に食い込む構造になっている。したがって、ハンドル６を牽いて連続鉢苗移植機１を前進させることにより、各駆動輪２１が転動して駆動軸２２が軸回りに回転する。この時、各ブレード２３の少なくとも１つの歯部２３ａが圃場５に食い込むので、転動輪２１がスリップし易い状況であっても、駆動軸２２を確実に回転させることができる。
【００１５】
また、枠体１０の前端部（図２における右側部分）の幅方向両側（図３における左右両側）には、駆動輪２１に対して同一軸線上に配置され、圃場５上を連続鉢苗移植機１の進行方向へ転動可能な一対の補助輪２４が設けられる。なお、一対の補助輪２４は、駆動輪２１と同一のものであってよいし、必要に応じて外径あるいは車輪幅を駆動輪２１に対して異なる寸法に設定することもできる。また、図２、図３に示される符号２５は、例えば、枠体１０を持ち上げる時に使用する補助把手である。さらに、図４、図５に示されるように、連続鉢苗移植機１は、各組（鉢苗載置部４、鉢苗案内部８および鉢苗繰出部１２）のうち鉢苗案内部８および鉢苗繰出部１２が、枠体１０に対して枠体１０幅方向（図４における上下方向、かつ、図５における左右方向）に移動可能、すなわち、取付位置の変更が可能に設けられており、これにより、要求される条間（植付け溝間隔）に柔軟に対応することが可能である。
【００１６】
施肥装置９は、枠体１０から、上記組間の隣り合う鉢苗載置部４間を通ってハンドルフレーム２０に対して略平行に延びるサブフレーム２６を有する。また、施肥装置９は、サブフレーム２６の上端部にブラケット２７を介して取り付けられる肥料繰出部２８と、該肥料繰出部２８の上部に着脱可能に装着されるホッパ２９と、枠体１０の前端部に一対で設けられて一対の植付け溝切部７によって形成された各植付け溝の側方に施肥溝を形成する一対の施肥溝切部３０と、肥料繰出部２８によって２経路（肥料誘導管３１ａ、３１ｂ）に分配されて繰り出された各肥料を対応する各施肥溝切部３０へ案内する肥料案内部３１と、を有する。
【００１７】
肥料繰出部２８は、上部が開口したケーシング３３内部が隔壁（図示省略）によって進行方向（図２における左右方向）へ２室に分けられており、各室にホッパ２９から肥料３２（図７参照）が供給される。ケーシング３３内部の各室には、それぞれ繰出ロール弁（図示省略）が設けられており、ケーシング３３の一側面（図３における右側面）に突出した繰出軸３４を回転駆動することにより、各繰出ロール弁から設定された量の肥料３２が、肥料案内部３１の対応する各経路（肥料誘導管３１ａ、３１ｂ）へ繰出される。なお、各繰出ロール弁は、周知技術であることから、ここでの詳細な説明を省略するが、本実施形態では、溝付きの繰出ローラ３５ａ、３５ｂを軸方向へ移動させることにより繰出量が調節されるスライドロール方式を採用する（例えば、特開２００５−５８１５２号公報の薬剤供給手段４の定量切出装置１２を参照）。また、図１に示されるように、ホッパ２９は、下部開口にシャッター４５（開閉可能な底板）を有する。
【００１８】
各施肥溝切部３０は、板金加工により得られ、図６に示されるように、上部が開口した剣先状の横断面を有する。また、各施肥溝切部３０は、枠体１０の前側に、枠体１０幅方向へ移動可能、すなわち、取付位置の変更が可能に設けられる。さらに、各施肥溝切部３０は、枠体１０に対する取付位置が図１におけるＡ方向へ段階的あるいは無段階に調節可能、すなわち、圃場５への突込み量を調節可能であり、これにより、圃場５に形成される施肥溝の深さ調節が可能である。そして、各施肥溝切部３０の上部は、肥料案内部３１の各肥料誘導管３１ａ、３１ｂによって、肥料繰出部２８のケーシング３３の下部に設けられた対応する各繰出口２８ａ、２８ｂに接続されている。なお、肥料案内部３１の各肥料誘導管３１ａ、３１ｂは、フレキシブルチューブ等を採用することができる。
【００１９】
施肥装置９は、駆動輪２１の転動に伴い回転する駆動軸２２の回転力を肥料繰出部２８の繰出軸３４へ伝達する伝達部を有する。伝達部は、駆動軸２２に固定される第１スプロケット３６と、ハンドルフレーム２０に設けられて取付位置が該ハンドルフレーム２０の伸縮方向へ変更可能なスプロケットセット３７と、繰出軸３４に固定される第２スプロケット３８と、第１スプロケット３６とスプロケットセット３７の小径側のスプロケット３７ａとに巻回される第１無端チェーン３９と、スプロケットセット３７の大径側のスプロケット３７ｂと第２スプロケット３８とに巻回される第２無端チェーン４０と、を有する。なお、当業者において周知であるように、肥料繰出部２８は、伝達部を介して繰出軸３４が回転駆動されることにより、各繰出ロール弁の各繰出ロール３５ａ、３５ｂが回転するように構成されている。
【００２０】
また、図１、図２に示される符号４１は、枠体１０に取付けられた補助ハンドルである。そして、符号４２は、枠体１０の後側の圃場５に対する浮き上がりを防止するチゼルである。該チゼル４２は、圃場５に対する食い込み角度を調節する機構（図示省略）を有する。さらに、符号４３は、鉢苗載置部４の後部に各鉢苗台１１に対応して設けられたバーである。該バー４３は、鉢苗載置部４から引き出された連続鉢体２に引き出し抵抗を付与し、当該連続鉢体２がまとめて（連結片が延びずに）引き出されるのを防ぐ。なお、バー４３は、固定してもよいし、軸回りに回転可能なローラとすることもできる。
【００２１】
次に、本実施形態の作用を説明する。移植に先立ち、連続鉢苗２を収容した各鉢苗台１１を連続鉢苗移植機１（移植機）の鉢苗載置部４に並べてセットする（図８参照）。また、各組の鉢苗案内部８および鉢苗繰出部１２の、枠体１０幅方向（図８における上下方向）への取付位置を条間に応じて決定し、さらに、一対の施肥溝切部３０の、枠体１０幅方向への取付位置と圃場５への突込み深さとを調節する。そして、肥料３２が入ったホッパ２９を肥料繰出部２８の上部にセットする（図７参照）。これで移植の準備が完了である。なお、肥料繰出部２８に装着された空のホッパ２９に肥料を投入することもできる。
【００２２】
移植準備完了後、連続鉢苗移植機１を圃場５の植付け開始位置に位置させる。次に、鉢苗載置部４上の各鉢苗台１１から各連続鉢苗２の先端を引き出し、引き出した各連続鉢苗２を、対応するそれぞれの鉢苗案内部８および鉢苗繰出部１２を通過させて各先端部を予め圃場５に形成しておいた植付け溝内に植付けて固定する。そして、施肥装置９のホッパ２９のシャッター４５をオープンにした後、ハンドル６を牽いて連続鉢苗移植機１を前進、すなわち、図７、図８における右方向へ移動させる。連続鉢苗移植機１の前進に伴い、一対の植付け溝切部７によって圃場５に２条の植付け溝が形成されるとともに、各鉢苗台１１から引き出された各連続鉢苗２が、各鉢苗案内部８の対応する一対の案内板１４間、各鉢苗繰出部１２の対応する一対の誘導板１７間を通過して、各切欠部１６から各植付け溝に向けて繰り出される。なお、連続鉢苗移植機１は、各植付け溝切部７の前端部に位置する各チゼル４２が圃場５に食い込んで枠体１０の後側の浮き上がりを抑制する。
【００２３】
本実施形態の連続鉢苗移植機１では、上述した一連の移植の流れに並行して、施肥装置９によって、各植付け溝内へ繰り出される各連続鉢苗２の側方（枠体１０幅方向外方）に施肥する。具体的には、連続鉢苗移植機１の前進に伴い、各施肥溝切部３０によって圃場５に２条の施肥溝（図示省略）が形成されるとともに、駆動輪２１の転動に伴い回転する駆動軸２２の回転力が、伝達部を介して肥料繰出部２８の繰出軸３４に伝達され、肥料繰出部２８の繰出軸３４、延いては、各繰り出しロール弁の各繰出ローラ３５ａ、３５ｂが回転する。これにより、連続鉢苗移植機１の前進速度（すなわち繰出ロールの回転数）に応じた量の肥料が、肥料繰出部２８の各繰出口２８ａ、２８ｂから肥料案内部３１の各肥料誘導管３１ａ、３１ｂへ繰出され、各肥料誘導管３１ａ、３１ｂへ繰出された肥料は、図７に示されるように、各肥料誘導管３１ａ、３１ｂを通って各施肥溝切部３０から各施肥溝内へ供給される。
【００２４】
この実施形態では以下の効果を奏する。
本実施形態によれば、連続鉢苗移植機１に施肥装置９を設けたので、移植と同時に施肥を行う側条施肥栽培に対応した連続鉢苗移植機１を提供することができる。これにより、側条施肥栽培、特に、小規模農家における側条施肥栽培の作業を省力化かつ効率化することができる。
また、枠体１０上に、鉢苗載置部４、鉢苗案内部８および鉢苗繰出部１２によって構成される組を、枠体１０幅方向に２組並べて設けるとともに、各組に対応する２系統の肥料供給経路（各肥料誘導管３１ａ、３１ｂ）を設けたので、２条同時の移植と施肥とが可能になり、移植作業をより効率化することができる。
また、枠体１０の前側の幅方向両側に一対の補助輪２４を設けたので、鉢苗台１１を枠体１０幅方向へ並べて配置したり、大容量のホッパ２９を比較的高い位置に配置しても、前進時に連続鉢苗移植機１が安定し、苗３の植付け姿勢を安定させることができるとともに作業者の負担を軽減することができる。
また、施肥装置９の繰出軸３４の駆動等に電動モータや原動機を使用していないので、装置をシンプルかつ安価に構成することが可能になり、装置の信頼性を確保することができるとともに小規模農家への導入が容易である。さらに、既存の連続鉢苗移植機１の簡単な改造により施肥装置９を後付することができる（連続鉢苗移植機１へ改造を加えないで後付けできるような仕様とすることもできる）。
【００２５】
なお、実施形態は上記に限定されるものではなく、例えば、次のように構成することができる。
【００２６】
図９に示されるように、本実施形態では、肥料案内部３１の各肥料誘導管３１ａ、３１ｂの下端部を対応する各施肥溝切部３０に直接接続して施肥装置９を構成したが、図１０に示されるように、各肥料誘導管３１ａ、３１ｂと対応する各施肥溝切部３０との間にそれぞれシュータ４４を設けて施肥装置９を構成することができる。
図９に示される本実施形態の態様では、図９（ｂ）に示されるように、条間を狭めた場合、すなわち、一対の施肥溝切部３０の取付間隔が小さい場合、各肥料誘導管３１ａ、３１ｂを構成するフレキシブルチューブの屈曲部において、使用される肥料３２によっては詰まりが発生し易くなるが、シュータ４４を採用する図１０に示される他の実施形態の態様の場合、一対の施肥溝切部３０の取付間隔に応じて各施肥溝切部３０に対する各シュータ４４の首振り角度を変えることにより、各肥料誘導管３１ａ、３１ｂを屈曲させることなく、一対の施肥溝切部３０の取付間隔の調節が可能である。また、図１０に示される態様では、フレキシブルチューブに替えてプラスチック製又は鋼製のパイプ等で各肥料誘導管３１ａ、３１ｂを構成することも可能であり、上述した図９に示される態様の詰まりの点を解消することができる。さらに、設計の自由度ならびに取回しが向上するとともに、図１１、図１２にも示されるように、外観品質を向上させることができる。
なお、各シュータ４４は、例えば、板金加工により得られた横断面が略コ字形状の部材を、各施肥溝切部３０に、図１０に示される各旋回中心Cに対して旋回可能に取り付けることで構成することができる。
【００２７】
本実施形態では、外周に複数個の歯部２３ａを有するブレード２３を各駆動輪２１に固定することで駆動輪２１の空転を防止したが、図１１、図１２に示されるように、ブレード２３を使用しないで、接地面にラグ４６を有する駆動輪２１を採用することもできる。これにより、駆動輪２１の圃場５に対するグリップ性が向上し、駆動輪２１の空転をより確実に抑制することができる。その結果、繰出軸３４へ伝達される回転駆動力が安定し、延いては、肥料繰出部２８から繰り出される肥料の繰出量を安定させることができる。
【００２８】
図１３に示されるように、ハンドル６を延長して連続鉢苗移植機１を二人の作業者で牽引するように構成することができる。
図１４、図１５に示されるように、例えば、圃場５に高畦４７がある場合、補助輪２４の半径を駆動輪２１の半径に対して高畦４７の高さ分だけ大きくしておいて、高畦４７を跨ぐようにして両補助輪２４を高畦の幅方向両側に接地させることにより、移植時における連続鉢苗移植機１の姿勢を安定させることができる。
【００２９】
図１６に示されるように、連続鉢苗移植機１は、歩行型トラクタ４９に連結させることができる。図１６に示される実施形態では、連続鉢苗移植機１のハンドルフレーム２０に取り付けられた連結部材４８が、トラクタ４９の前部に設けられたヒッチ５０に接続されている。なお、連続鉢苗移植機１側の連結部材４８の接続部位はハンドルフレーム２０に限定されない。連結部材４８は、連続鉢苗移植機１側の接続部位ならびにトラクタ４９のヒッチ５０の形状に応じて適宜に設計することができる。
図１７に示されるように、連続鉢苗移植機１は、乗用型トラクタ５１に連結させることができる。図１７に示される実施形態では、トラクタ５１の後部に設けられた一対のアーム５２（ヒッチ）が、連続鉢苗移植機１の補助把手２５（連結部）に接続されている。なお、連続鉢苗移植機１の連結部は、補助把手２５に限定されるものではなく、トラクタ５１側のヒッチ（ここでは一対のアーム５２）の形状に応じて適宜に設定することができる。
【符号の説明】
【００３０】
１  連続鉢苗移植機、２  連続鉢苗、４  鉢苗載置部、５  圃場、７  植付け溝切部、８  鉢苗案内部、９  施肥装置、１０  枠体、１２  鉢苗繰出部、２９  ホッパ、３０  施肥溝切部、３１  肥料案内部、３２  肥料
【図１】
2011234684.tif 000003
【図２】
2011234684.tif 000004
【図３】
2011234684.tif 000005
【図４】
2011234684.tif 000006
【図５】
2011234684.tif 000007
【図６】
2011234684.tif 000008
【図７】
2011234684.tif 000009
【図８】
2011234684.tif 000010
【図９】
2011234684.tif 000011
【図１０】
2011234684.tif 000012
【図１１】
2011234684.tif 000013
【図１２】
2011234684.tif 000014
【図１３】
2011234684.tif 000015
【図１４】
2011234684.tif 000016
【図１５】
2011234684.tif 000017
【図１６】
2011234684.tif 000018
【図１７】
2011234684.tif 000019